(57)【要約】【課題】輸送用移動体のシートで睡眠をとるユーザの希望する起床時間に、より快適に目覚めさせることを可能にする。【解決手段】輸送用移動体のシートに設けられてシートに着座するユーザに対する温度刺激を行うシート空調ユニット３１及びシートヒータ３２による温度刺激を調整する調整部３０６と、ユーザがシートで睡眠をとる場合に希望する起床時刻を特定する起床時刻特定部３０３とを備え、調整部３０６は、起床時刻特定部３０３で特定する起床時刻よりも設定時間前から、温度刺激として、ユーザを温める温刺激とユーザを冷やす冷刺激とを交互に繰り返す温冷刺激を行わせる。【選択図】図５
2020083200.tif 000002
【特許請求の範囲】
【請求項１】
輸送用移動体のシートに設けられて前記シートに着座するユーザに対する温度刺激を行う温度刺激装置（３１，３２）による温度刺激を調整する調整部（３０６）を備えるシート温度調整装置であって、
前記ユーザが前記シートで睡眠をとる場合に希望する起床時刻を特定する起床時刻特定部（３０３）を備え、
前記調整部は、前記起床時刻特定部で特定する前記起床時刻よりも、設定される設定時間前から、前記温度刺激として、前記ユーザを温める温刺激と前記ユーザを冷やす冷刺激とを交互に繰り返す温冷刺激を行わせるシート温度調整装置。
【請求項２】
前記調整部は、前記温刺激を継続する期間が前記冷刺激を継続する期間よりも長くなるように前記温冷刺激を行わせる請求項１に記載のシート温度調整装置。
【請求項３】
前記ユーザの携帯する携帯端末から無線通信を介して情報を取得する携帯情報取得部（３００）を備え、
前記携帯情報取得部は、前記携帯端末で設定される、前記ユーザの希望する起床時刻を取得するものであり、
前記起床時刻特定部は、前記携帯情報取得部で取得する前記起床時刻を、前記起床時刻と特定する請求項１又は２に記載のシート温度調整装置。
【請求項４】
前記ユーザの携帯する携帯端末から無線通信を介して情報を取得する携帯情報取得部（３００）を備えるものであって、
前記携帯情報取得部は、前記携帯端末で設定される、前記ユーザの希望する前記温冷刺激の継続時間を取得するものであり、
前記調整部は、前記温冷刺激を行わせる際に、前記携帯情報取得部で取得する前記継続時間に沿った時間の前記温冷刺激を行わせる請求項１〜３のいずれか１項に記載のシート温度調整装置。
【請求項５】
前記ユーザの携帯する携帯端末から無線通信を介して情報を取得する携帯情報取得部（３００）を備えるものであって、
前記携帯情報取得部は、前記携帯端末で設定される前記設定時間を取得するものであり、
前記調整部は、前記温冷刺激を行わせる際に、前記起床時刻特定部で特定する前記起床時刻の、前記携帯情報取得部で取得する前記設定時間前から、前記温冷刺激を行わせる請求項１〜４のいずれか１項に記載のシート温度調整装置。
【請求項６】
前記ユーザが前記シートで睡眠をとる場合の就寝開始時刻を特定する就寝開始時刻特定部（３０２）を備え、
前記調整部は、前記就寝開始時刻特定部で特定する前記就寝開始時刻の前から、前記温度刺激として、前記ユーザを温める温刺激を行わせる請求項１〜５のいずれか１項に記載のシート温度調整装置。
【請求項７】
前記ユーザの携帯する携帯端末から無線通信を介して情報を取得する携帯情報取得部（３００）を備えるものであって、
前記携帯情報取得部は、前記携帯端末で設定される、前記ユーザの希望する就寝開始時刻を取得するものであり、
前記就寝開始時刻特定部は、前記携帯情報取得部で取得する前記就寝開始時刻を、前記就寝開始時刻と特定する請求項６に記載のシート温度調整装置。
【請求項８】
前記温度刺激装置は、前記シートに着座する前記ユーザの部位別に前記温度刺激を行うことが可能なものであって、
前記調整部は、前記ユーザの部位別に独立して前記温度刺激の温度を調整可能である請求項１〜７のいずれか１項に記載のシート温度調整装置。
【請求項９】
前記ユーザの温度感受性に関連するユーザ特性を特定する特性特定部（３０４）を備え、
前記調整部は、前記特性特定部で特定する前記ユーザ特性に応じて、前記ユーザの部位別に行わせる前記温度刺激の温度のパターンを切り替える請求項８に記載のシート温度調整装置。
【請求項１０】
前記シートに着座する前記ユーザの部位別の温度を測定する温度センサでの測定結果を取得する温度取得部（３０５）を備え、
前記調整部は、前記温度取得部で取得する前記ユーザの部位別の測定結果に応じて、前記ユーザの部位別に行わせる前記温度刺激の温度のパターンを切り替える請求項８又は９に記載のシート温度調整装置。
【発明の詳細な説明】
【技術分野】
【０００１】
本開示は、輸送用移動体のシートの温度の調整を行うシート温度調整装置に関するものである。
【背景技術】
【０００２】
飛行機，車両といった輸送用移動体のシートでユーザが長時間過ごす場合に、ユーザが輸送用移動体のシートで睡眠をとることがある。しかしながら、輸送用移動体のシートでは、布団，ベッドでの睡眠に比べ、快適に目覚めることが難しい。
【０００３】
例えば、特許文献１には、浅いノンレム睡眠を検出した場合に、予め定めた閾値未満の刺激強度の第１の刺激を被験者に与えて深いノンレム睡眠に入るのを妨げ、その後、第１の刺激よりも刺激強度の強い第２の刺激を被験者に与えて目覚めさせることで、被験者を快適に目覚めさせることを試みる技術が開示されている。
【先行技術文献】
【特許文献】
【０００４】
【特許文献１】特開２００８−２２９２４８号公報
【発明の概要】
【発明が解決しようとする課題】
【０００５】
しかしながら、輸送用移動体では、輸送用移動体に留まっていられる時間が限られていることで、ユーザが睡眠から目覚めなければならない時間が定まっていることが多い。これに対して、特許文献１の技術では、ユーザが希望する起床時間に都合よく浅いノンレム睡眠となるとは限らないため、ユーザが希望する起床時間に快適に目覚めさせることが難しいという問題点がある。
【０００６】
この開示のひとつの目的は、輸送用移動体のシートで睡眠をとるユーザの希望する起床時間に、より快適に目覚めさせることを可能にするシート温度調整装置を提供することにある。
【課題を解決するための手段】
【０００７】
上記目的は独立請求項に記載の特徴の組み合わせにより達成され、また、下位請求項は、開示の更なる有利な具体例を規定する。特許請求の範囲に記載した括弧内の符号は、ひとつの態様として後述する実施形態に記載の具体的手段との対応関係を示すものであって、本開示の技術的範囲を限定するものではない。
【０００８】
上記目的を達成するために、本開示のシート温度調整装置は、輸送用移動体のシートに設けられてシートに着座するユーザに対する温度刺激を行う温度刺激装置（３１，３２）による温度刺激を調整する調整部（３０６）を備えるシート温度調整装置であって、ユーザがシートで睡眠をとる場合に希望する起床時刻を特定する起床時刻特定部（３０３）を備え、調整部は、起床時刻特定部で特定する起床時刻よりも、設定される設定時間前から、温度刺激として、ユーザを温める温刺激とユーザを冷やす冷刺激とを交互に繰り返す温冷刺激を行わせる。
【０００９】
これによれば、ユーザが輸送用移動体のシートで睡眠をとる場合に、ユーザが希望する起床時刻よりも設定時間前から、ユーザを温める温刺激とユーザを冷やす冷刺激とを交互に繰り返す温冷刺激を行わせることになる。温冷刺激は、ユーザの血流を促進させてユーザの血圧及び体温を上昇させるので、睡眠時に温冷刺激を行うことで眠りの浅い状態とすることが可能になる。本開示のシート温度調整装置は、この温冷刺激を起床時刻よりも設定時間前から行わせるので、輸送用移動体のシートで睡眠をとっているユーザを、起床時刻までに眠りの浅い状態に移行させることが可能になる。よって、ユーザが起床時刻において眠りの浅い状態から起床することが可能になり、眠りの深い状態から急に起床する場合に比べて快適に目覚めることが可能になる。その結果、輸送用移動体のシートで睡眠をとるユーザの希望する起床時間に、より快適に目覚めさせることが可能になる。
【図面の簡単な説明】
【００１０】
【図１】シート温度調整システム１の概略的な構成の一例を示す図である。
【図２】シート空調ユニット３１の設け方及びシート空調ユニット３１による空調風の吹出位置の一例を示す図である。
【図３】シート空調ユニット３１の概略的な構成の一例を示す図である。
【図４】シートヒータ３２の設け方の一例を示す図である。
【図５】シートＥＣＵ３０の概略的な構成の一例を示す図である。
【図６】温冷刺激の一例を説明するための図である。
【図７】ユーザ特性に応じた、部位別の温度刺激の温度のパターンの一例を説明するための図である。
【図８】シートＥＣＵ３０での温調関連処理の流れの一例を示すフローチャートである。
【発明を実施するための形態】
【００１１】
図面を参照しながら、開示のための複数の実施形態を説明する。なお、説明の便宜上、複数の実施形態の間において、それまでの説明に用いた図に示した部分と同一の機能を有する部分については、同一の符号を付し、その説明を省略する場合がある。同一の符号を付した部分については、他の実施形態における説明を参照することができる。
【００１２】
（実施形態１）
＜シート温度調整システム１の概略構成＞
以下、本実施形態について図面を用いて説明する。図１に示すシート温度調整システム１は、乗用車，バス，鉄道車両，船舶，航空機といった輸送用移動体で用いられるものであり、携帯端末２及びシート側ユニット３を含んでいる。本実施形態では、一例として、シート温度調整システム１は、輸送用移動体の座席（つまり、シート）ごとに用いられるものとする。以下では、輸送用移動体として乗用車，バス等の自動車を用いる場合を例に挙げて説明を行う。
【００１３】
携帯端末２は、シートに着座するユーザに携帯される。携帯端末２としては、ユーザが携帯可能であって特定の通信機能及び入力機能を有する端末であればよく、例えば多機能携帯電話機，タブレット端末，ノートＰＣ等を用いることができる。以下では、携帯端末２は、スマートフォンといった多機能携帯電話機であって、特定の通信機能として、Bluetooth Low Energy（Bluetoothは登録商標），ＷｉＦｉ（登録商標）等の無線通信規格に沿って通信を行う通信機能を有する場合を例に挙げて説明を行う。
【００１４】
シート側ユニット３は、シートごとに設けられ、シートに着座するユーザに対する温度刺激を行う。ユーザに対する温度刺激としては、ユーザを温める刺激（以下、温刺激）、及びユーザを冷やす刺激（以下、冷刺激）が挙げられる。シート側ユニット３は、シートに着座するユーザの部位別に温度刺激を行うことが可能になっていることが好ましい。本実施形態では、シートに着座するユーザの部位別に温度刺激を行うことが可能になっている場合を例に挙げて説明を行う。また、シート側ユニット３でユーザの部位別に行う温度刺激は、例えば上半身と下半身とに分けられている構成としてもよいし、さらに細分化されている構成としてもよい。本実施形態では、上半身と下半身との部位別に温度刺激を行うことが可能になっている場合を例に挙げて説明を行う。シート側ユニット３の詳細については以下で述べる。
【００１５】
＜シート側ユニット３の概略構成＞
続いて、図１を用いてシート側ユニット３の概略構成の一例について説明を行う。シート側ユニット３は、図１に示すように、シートＥＣＵ３０、シート空調ユニット３１、シートヒータ３２、シートセンサ３３、シートＨＭＩ（Human Machine Interface）３４、及び通信モジュール３５を備える。
【００１６】
シート空調ユニット３１及びシートヒータ３２は、シートに着座するユーザに対する温度刺激を行う温度刺激装置である。シート空調ユニット３１及びシートヒータ３２については、後に詳述する。
【００１７】
シートセンサ３３は、シートへのユーザの着座状態，シートに着座する乗員の部位別の温度等の各種状態を検出するためのセンサ群である。シートセンサ３３としては、シートの座面に設けられる感圧素子からなる着座センサ，シートに設けられる温度センサ等がある。温度センサについては、検出対象とする部位の分け方に応じて、その部位に対応するシート上の位置に設ける構成とすればよい。例えば、検出対象とする部位が上半身と下半身とである場合には、上半身についてはシートバックに設ける温度センサで温度を検出し、下半身についてはシートの座面に設ける温度センサで温度を検出する構成とすればよい。シートセンサ３３は、検出結果をシートＥＣＵ３０へ出力する。
【００１８】
シートＨＭＩ３４は、シートに着座するユーザからの温度刺激装置に関連する設定等の操作入力を操作入力部で受け付けたり、そのシートでの温度刺激装置の作動状態等を表示器に表示したりする。操作入力部の一例としては、メカニカルなスイッチであってもよいし、表示器と一体となったタッチスイッチであってもよい。シートＨＭＩ３４は、受け付けた設定の情報をシートＥＣＵ３０に出力する。
【００１９】
通信モジュール３５は、前述した無線通信規格を利用して携帯端末２と無線通信を介して接続し、情報のやり取りを行う。通信モジュール３５は、携帯端末２の入力機能を用いて携帯端末２で設定される温度刺激装置に関連する設定の情報を、無線通信を介して受信し、シートＥＣＵ３０に出力する。
【００２０】
なお、本実施形態では、温度刺激装置に関連する設定を、シートＨＭＩ３４及び携帯端末２のいずれでも行うことが可能な構成を示すが、必ずしもこれに限らない。例えば、温度刺激装置に関連する設定を、シートＨＭＩ３４及び携帯端末２のいずれかでしか行わない構成としてもよい。温度刺激装置に関連する設定の一例としては、ユーザの希望する就寝開始時刻（以下、希望就寝開始時刻）の設定，ユーザの希望する起床時刻（以下、希望起床時刻）の設定，ユーザ特性の設定，温度刺激の強度の設定，温度刺激の継続時間の設定，温度刺激の開始タイミングの設定等がある。ここで言うところのユーザ特性とは、ユーザの温度感受性に関連する特性であって、例えば性別，冷え症の有無等がある。
【００２１】
シートＥＣＵ３０は、例えばプロセッサ、メモリ、Ｉ／Ｏ、これらを接続するバスを備えるマイクロコンピュータを主体として構成され、メモリに記憶された制御プログラムを実行することで温度刺激に関する各種の処理を実行する。プロセッサがこの制御プログラムを実行することは、制御プログラムに対応する方法が実行されることに相当する。ここで言うところのメモリは、コンピュータによって読み取り可能なプログラム及びデータを非一時的に格納する非遷移的実体的記憶媒体（non- transitory tangible storage medium）である。また、非遷移的実体的記憶媒体は、半導体メモリ又は磁気ディスクなどによって実現される。このシートＥＣＵ３０がシート温度調整装置に相当する。なお、シートＥＣＵ３０での処理の詳細については後述する。
【００２２】
＜シート空調ユニット３１の概略構成＞
続いて、図２及び図３を用いて温度刺激装置のうちのシート空調ユニット３１の概略構成の一例について説明を行う。シート空調ユニット３１は、シートに設けられて、そのシートに着座するユーザに対する個別空調を行う。シート空調ユニット３１は、シートＥＣＵ３０によって制御されて、個別空調による温度刺激を行う。シート空調ユニット３１は、例えば図２に示すようにシートＳｅの座面の下部に設けられる構成とすればよい。また、シート空調ユニット３１は、図３に示すように、空調ＥＣＵ３１０、冷凍サイクル装置３１１、加熱装置３１６、第１送風機３１７、第２送風機３１８、及びエアミックスダンパ３１９を備える。
【００２３】
冷凍サイクル装置３１１は、冷媒の蒸気圧縮冷凍サイクルを利用して空気を冷却するものであり、圧縮機３１２、凝縮器３１３、減圧部３１４、及び蒸発器３１５を備える。圧縮機３１２、凝縮器３１３、減圧部３１４、及び蒸発器３１５は、冷媒が流れる閉回路であるバイパス管路に設けられる。冷媒としては、Ｒ１３４ａ，Ｒ１５２ａ等の地球温暖化係数の小さいフロンガス又はプロパン等のＨＣガスを用いる構成とすればよい。
【００２４】
圧縮機３１２は、バッテリから供給された直流電圧で駆動される電動圧縮機であり、バイパス管路を流れる冷媒を圧縮して冷媒温度を上昇させる。圧縮機３１２は、低圧冷媒を吸引し、この低圧冷媒を加圧して高圧冷媒を吐出する。なお、圧縮機３１２は、自動車に搭載されるエンジンによって駆動されるエンジン駆動圧縮機であってもよい。圧縮機３１２は、圧縮した高圧冷媒を凝縮器３１３に供給する。
【００２５】
凝縮器３１３は、第１送風機３１７により送風される空気と冷媒との間の熱交換を提供することによって、冷媒の熱を放熱させる。凝縮器３１３は放熱器とも呼ばれる。凝縮器３１３で放熱された冷媒は、減圧部３１４に供給される。減圧部３１４は、凝縮器３１３から供給される冷媒を減圧することにより低温低圧の冷媒を生成し、蒸発器３１５に供給する。
【００２６】
蒸発器３１５は、第２送風機３１８により送風される空気と低温冷媒との間の熱交換を提供することによって、第２送風機３１８により送風される空気を冷却する。これにより、第２送風機３１８により送風される空気が冷風となって吹出用ダクトＤｕ（図２参照）に供給される。また、蒸発器３１５で冷却された冷媒は、圧縮機３１２に供給される。なお、蒸発器３１５は、吸熱器とも呼ばれる。このように冷媒が冷凍サイクル装置３１１を循環しつつ、第２送風機３１８により送風された空気が冷却されて冷風が吹出用ダクトＤｕに供給される。
【００２７】
加熱装置３１６は、ＰＴＣヒータ、熱線式ヒータ等からなる電気ヒータであり、凝縮器３１３を通過した暖気を加熱し、暖気の温度をさらに昇温させる。加熱装置３１６により加熱された温風も吹出用ダクトＤｕに供給される。
【００２８】
エアミックスダンパ３１９は、蒸発器３１５で冷却される冷風の吹出口及び加熱装置３１６で加熱される温風の吹出口と吹出用ダクトＤｕとを接続する接続流路に設けられる。エアミックスダンパ３１９は、冷風の吹出口から排出される冷風を吹出用ダクトＤｕに流通させる量と、温風の吹出口から排出される温風を吹出用ダクトＤｕに流通させる量とを調整することで、吹出用ダクトＤｕに供給される空調風の温度を調整する。
【００２９】
吹出用ダクトＤｕの吹出口の一例としては、図２に示すように、シートバックとヘッドレストとの間の吹出口ＮＤ，シートバックの吹出口ＢＤ，シートの座面の吹出口ＴＤ，シートの台座の前面の吹出口ＣＤが挙げられる。各吹出口から吹き出される空調風（図２の矢印参照）は、吹出口ＮＤが乗員の首筋，吹出口ＢＤが乗員の背中，吹出口ＴＤが臀部及び太腿，吹出口ＣＤがふくらはぎに当たるようになっている。なお、吹出口はシートに着座する乗員の他の部位に当たるように設けられている構成としてもよいし、上述したうちの一部のみが設けられている構成としてもよい。
【００３０】
本実施形態では、吹出口ＮＤ及び吹出口ＢＤから吹き出す冷風によって上半身に冷刺激を行う一方、吹出口ＴＤ及び吹出口ＣＤから吹き出す冷風によって下半身に冷刺激を行う場合を例に挙げて以降の説明を行う。なお、冷刺激として用いる冷風は、例えば２０℃以下の温度の冷風とすればよい。なお、シート空調ユニット３１が発生させる冷風によって、さらに細分化された部位別に冷刺激を行う構成としてもよい。例えば、吹出口ＮＤから吹き出す冷風によって首筋，吹出口ＢＤから吹き出す冷風によって背中，吹出口ＴＤから吹き出す冷風によって太腿，吹出口ＣＤから吹き出す冷風によって足先にそれぞれ冷刺激を行う構成としてもよい。
【００３１】
また、本実施形態では、部位別に冷刺激の温度を異ならせることのない構成を示すが、必ずしもこれに限らない。例えば、シートに着座するユーザの部位別に対応する位置にペルチェ素子を設ける等して、部位別に冷刺激の温度を異ならせることのできる構成としてもよい。
【００３２】
＜シートヒータ３２の概略構成＞
続いて、温度刺激装置のうちのシートヒータ３２の概略構成の一例について説明を行う。シートヒータ３２は、シートに設けられて、そのシートに着座するユーザを温める温刺激を行う。シートヒータ３２は、シートＥＣＵ３０によって制御されて温度刺激を行う。シートヒータ３２としては、例えばＰＴＣヒータ、熱線式ヒータ等の発熱素子を用いればよい。
【００３３】
一例として、シートヒータ３２は、図４に示すように、シートＳｅのシートバックと座面とにそれぞれ設けられる構成とすればよい。以降では、シートバックに設けられるシートヒータ３２をシートヒータ３２ａとし、座面に設けられるシートヒータ３２をシートヒータ３２ｂとする。本実施形態では、シートヒータ３２ａを発熱させることによって上半身に温刺激を行う一方、シートヒータ３２ｂを発熱させることによって下半身に温刺激を行う場合を例に挙げて以降の説明を行う。なお、温刺激は、例えば４０℃以上の温度での刺激とすればよい。また、シートヒータ３２ａとシートヒータ３２ｂとは、シートＥＣＵ３０によってそれぞれ独立に制御されて、それぞれ異なる温度の発熱を行うことができるものとする。
【００３４】
なお、シートヒータ３２が発生させる熱によって、さらに細分化された部位別に温刺激を行う構成としてもよい。この場合には、シートヒータ３２を図４で示したよりも細分化して設ける構成とすればよい。一例として、シートバックのより天井側に設けられるシートヒータによって首筋を温める一方、シートバックのより床側に設けられるシートヒータによって背中を温める。また、座面に設けられるシートヒータによって太腿を温める一方、例えばフットレストに設けられるシートヒータによって足先を温めればよい。
【００３５】
＜シートＥＣＵ３０の概略構成＞
ここで、図５を用いて、シートＥＣＵ３０の概略構成について説明を行う。シートＥＣＵ３０は、設定取得部３００、調整関連特定部３０１、温度取得部３０５、及び調整部３０６を機能ブロックとして備えている。なお、シートＥＣＵ３０が実行する機能の一部又は全部を、１つ或いは複数のＩＣ等によりハードウェア的に構成してもよい。また、シートＥＣＵ３０が備える機能ブロックの一部又は全部は、プロセッサによるソフトウェアの実行とハードウェア部材の組み合わせによって実現されてもよい。
【００３６】
設定取得部３００は、シートＨＭＩ３４から、シートＨＭＩ３４の操作入力部で受け付ける設定（つまり、設定の情報）を取得する。また、設定取得部３００は、通信モジュール３５を介して、携帯端末２から、携帯端末２で受け付ける設定を取得する。よって、設定取得部３００が携帯情報取得部に相当する。設定取得部３００が取得する設定としては、前述した希望就寝開始時刻の設定，希望起床時刻の設定，ユーザ特性の設定，温度刺激の強度の設定，温度刺激の開始タイミングの設定，温度刺激の継続時間の設定等がある。
【００３７】
例えば、温度刺激の強度の設定は、弱，中，強の３段階といった複数段階の区分から選択されるものとすればよい。また、温度刺激の強度の設定は、温刺激と冷刺激とを独立に設定可能としてもよいし、温刺激と冷刺激とで設定を共通としてもよい。他にも、温度刺激の強度の設定は、温度刺激を行う部位別に設定可能としてもよい。例えば、ユーザの上半身の着衣が下半身の着衣に比べて厚着の場合に、ユーザが、上半身の温度刺激の強度を「強」とする一方、下半身の温度刺激の強度を「中」と設定可能とすればよい。この場合には、冷刺激も部位別に温度を独立に制御可能な構成とすることが好ましい。
【００３８】
温度刺激の開始タイミングの設定とは、就寝開始時刻及び起床時刻のどの程度前から温度刺激をユーザが希望するかの設定である。例えば、温度刺激の開始タイミングの設定が、３０分（以下、ｍｉｎ）前である場合には、就寝開始時刻及び起床時刻の３０ｍｉｎ前が温度刺激の開始タイミングとなる。温度刺激の開始タイミングの設定は、就寝開始時に対する温度刺激と、起床時に対する温度刺激とについて、それぞれ独立に設定可能な構成としてもよい。
【００３９】
温度刺激の継続時間の設定とは、どの程度の時間の温度刺激の継続をユーザが希望するかの設定である。例えば、温度刺激の継続時間の設定が、３０ｍｉｎである場合には、３０ｍｉｎが温度刺激の継続時間となる。温度刺激の継続時間の設定は、就寝開始時に対する温度刺激と、起床時に対する温度刺激とについて、それぞれ独立に設定可能な構成としてもよい。
【００４０】
調整関連特定部３０１は、設定取得部３００で取得する設定から、温度刺激の調整に関連する情報を特定する。調整関連特定部３０１は、就寝開始時刻特定部３０２、起床時刻特定部３０３、及び特性特定部３０４を有している。
【００４１】
就寝開始時刻特定部３０２は、設定取得部３００で取得する希望就寝開始時刻の設定から、ユーザがシートで睡眠をとる場合の就寝開始時刻を特定する。例えば、希望就寝開始時刻の設定が、ＰＭ１０：００である場合には、ＰＭ１０：００を就寝開始時刻と特定する。
【００４２】
起床時刻特定部３０３は、設定取得部３００で取得する希望起床時刻の設定から、ユーザがシートで睡眠をとる場合に希望する起床時刻を特定する。例えば、希望起床時刻の設定が、ＡＭ６：００である場合には、ＡＭ６：００を起床時刻と特定する。
【００４３】
特性特定部３０４は、設定取得部３００で取得するユーザ特性の設定から、ユーザの温度感受性に関連するユーザ特性を特定する。例えば、ユーザ特性の設定が女性である場合には、ユーザ特性を女性と特定する。また、ユーザ特性の設定が冷え症有りの場合には、ユーザ特性を冷え症有りと特定する。
【００４４】
温度取得部３０５は、シートセンサ３３のうちの温度センサから、シートに着座するユーザの部位別の温度の測定結果を取得する。本実施形態の例では、上半身の温度の測定結果と下半身の温度の測定結果とを取得する。
【００４５】
調整部３０６は、シート空調ユニット３１，シートヒータ３２といった温度刺激装置による温度刺激を調整する。調整部３０６は、シート空調ユニット３１の動作を開始させることで冷風による冷刺激を行わせたり、シート空調ユニット３１の動作を停止させることで冷風による冷刺激を停止させたりする。また、調整部３０６は、加熱装置３１６の動作をオンオフしたり、エアミックスダンパ３１９を調整したりすることで冷風の温度（つまり、冷刺激の強度）を調整する。調整部３０６は、シートヒータ３２の動作を開始させることで温刺激を行わせたり、シートヒータ３２の動作を停止させることで温刺激を停止させたりする。また、調整部３０６は、シートヒータ３２に与える電力を調整することでシートヒータ３２の発熱量（つまり、温刺激の強度）を調整する。調整部３０６は、温刺激及び冷刺激の強度を、「弱」，「中」，「強」の３段階に調整する場合を例に挙げて以降の説明を行う。温刺激は温度が高いほど強度が高く、冷刺激は温度が低いほど強度が高いものとする。
【００４６】
調整部３０６は、就寝開始時刻特定部３０２で特定する就寝開始時刻の前から、温度刺激として、シートヒータ３２にユーザを温める温刺激を行わせる。例えば、シートヒータ３２ａによってユーザの上半身に温刺激を行わせる一方、シートヒータ３２ｂによって、ユーザの下半身に温刺激を行わせる構成とすればよい。上半身への温刺激と下半身への温刺激は、例えば同じタイミングで継続して行わせる構成とすればよい。調整部３０６は、就寝開始時刻の前から温刺激を行う際には、シート空調ユニット３１からの冷風による冷刺激は行わせない構成とすればよい。
【００４７】
また、調整部３０６は、就寝開始時刻特定部３０２で特定する就寝開始時刻の、設定取得部３００で取得する温度刺激の開始タイミングの設定に沿った設定時間前から、温刺激を行わせればよい。例えば、温度刺激の開始タイミングの設定が３０ｍｉｎ前である場合には、就寝開始時刻の３０ｍｉｎ前から温刺激を行わせることになる。また、調整部３０６は、温刺激を行わせる際に、設定取得部３００で取得する継続時間に沿った時間の温刺激を行わせればよい。例えば、温度刺激の継続時間が３０ｍｉｎである場合には、温刺激を３０ｍｉｎ継続させることになる。なお、温刺激の開始タイミング及び継続時間は、デフォルトの値に予め固定して設定されており、新たな設定が行われない構成としてもよい。
【００４８】
輸送用移動体でのユーザの睡眠において、最初のノンレム睡眠で深い睡眠状態に入ることができれば、脳が十分な休息を取りやすくなり、より快適な目覚めを助けると考えられる。これに対して、以上の構成によれば、就寝開始時刻の前からユーザに温刺激を行ってユーザの皮膚温度を一旦上げ、手足からの熱放散を促すことで、就寝開始時に深部体温を下げることが可能になる。ユーザの深部体温を下がると、深い睡眠状態に入りやすくなるので、輸送用移動体内のように落着き辛くて深い睡眠状態に入りにくい場所であっても、深い睡眠状態に入りやすくなる。よって、輸送用移動体でのユーザの睡眠であっても、最初のノンレム睡眠で深い睡眠状態に入りやすくなる。従って、より快適な目覚めを助けることが可能になる。
【００４９】
さらに、調整部３０６は、起床時刻特定部３０３で特定する起床時刻よりも、設定される設定時間前から、温度刺激として、ユーザを温める温刺激とユーザを冷やす冷刺激とを交互に繰り返す温冷刺激を行わせる。温冷刺激は、例えばシートヒータ３２によって温刺激を行う一方、シート空調ユニット３１によって冷刺激を行う構成とすればよい。温刺激は、シートヒータ３２ａによってユーザの上半身に温刺激を行わせる一方、シートヒータ３２ｂによって、ユーザの下半身に温刺激を行わせる構成とすればよい。冷刺激は、吹出口ＮＤ及び吹出口ＢＤから吹き出させる冷風によってユーザの上半身に冷刺激を行わせる一方、吹出口ＴＤ及び吹出口ＣＤから吹き出させる冷風によってユーザの下半身に冷刺激を行わせる構成とすればよい。温冷刺激の温刺激を行う部位と冷刺激を行う部位とは、サウナ効果を高めるためには、同一部位であることが好ましい。
【００５０】
ここで、図６を用いて、温冷刺激の一例について説明を行う。図６では、シートヒータ３２による温刺激のオンオフのタイミングとシート空調ユニット３１による冷刺激のオンオフのタイミングとを示している。一例として、温冷刺激の継続時間が３０ｍｉｎの場合、温冷刺激は、シートヒータ３２を１２ｍｉｎの間ＯＮにする一方、シート空調ユニット３１を１２ｍｉｎの間ＯＦＦにすることで、温刺激を１２ｍｉｎ行わせる。続いて、シートヒータ３２を３ｍｉｎの間ＯＦＦにする一方、シート空調ユニット３１を３ｍｉｎの間ＯＮにすることで、冷刺激を３ｍｉｎ行わせる。この温刺激と冷刺激とを交互に繰り返させることで、温冷刺激を行わせる。
【００５１】
温冷刺激では、温刺激を継続する期間が冷刺激を継続する期間よりも長くなっていることが好ましい。これは、サウナと似た温冷刺激を行うことで、ユーザの血流をより促進するためである。設定取得部３００で取得する温度刺激の継続時間に応じて温冷刺激の継続時間が変更される構成の場合には、例えば温刺激に対する冷刺激の比率を４：１にするといったように温刺激と冷刺激との比率は固定し、継続時間を変更する構成とすればよい。
【００５２】
また、調整部３０６は、起床時刻特定部３０３で特定する起床時刻の、設定取得部３００で取得する温度刺激の開始タイミングの設定に沿った設定時間前から、温刺激を行わせればよい。例えば、温度刺激の開始タイミングの設定が３０ｍｉｎ前である場合には、起床時刻の３０ｍｉｎ前から温冷刺激を行わせることになる。また、調整部３０６は、温冷刺激を行わせる際に、設定取得部３００で取得する継続時間に沿った時間の温冷刺激を行わせればよい。例えば、温度刺激の継続時間が３０ｍｉｎである場合には、温冷刺激を３０ｍｉｎ継続させることになる。なお、温冷刺激の開始タイミング及び継続時間は、デフォルトの値に予め固定して設定されており、新たな設定が行われない構成としてもよい。
【００５３】
輸送用移動体でのユーザの睡眠において、浅い睡眠状態で起床することができれば、脳が活性化しやすく、より快適に目覚めることができると考えられる。これに対して、以上の構成によれば、起床時刻の前からユーザに温冷刺激を行ってサウナと同様の状態を模擬し、血流を促進させる。血流が促進されると、血圧及び体温が上昇し、浅い睡眠状態となる。よって、起床時刻までにユーザを浅い睡眠状態とすることが可能になる。起床時刻までにユーザが浅い睡眠状態となっていると、アラーム等で起床時刻に強制的に起こされる場合であっても、より快適に目覚めやすくなる。従って、より快適に目覚めさせることが可能になる。
【００５４】
さらに、調整部３０６は、特性特定部３０４で特定するユーザ特性に応じて、ユーザの部位別に行わせる温度刺激の温度のパターンを切り替える。例えば、ユーザ特性に応じて、温度を上げることが好ましいと推定される部位の温度をより高くするように、部位別に行わせる温度刺激の温度のパターンを切り替えればよい。
【００５５】
ここで、図７を用いて、ユーザ特性に応じた、部位別の温度刺激の温度のパターンの一例を示す。ここでは、ユーザ特性の種類は、性別と冷え症の有無とである場合を例に挙げて説明を行う。また、温度はレベル１〜３の３段階で変更するものとし、デフォルトはレベル２であるものとする。温刺激については、レベルの数値が高いほど温度が高いものとし、冷刺激については、レベルの数値が高いほど温度が低いものとする。
【００５６】
例えば、ユーザ特性が男性且つ冷え症無しの場合には、図７に示すように、上半身の温刺激，下半身の温刺激，上半身の冷刺激，下半身の冷刺激のいずれもレベル２とする。ユーザ特性が女性及び冷え症有りの少なくともいずれかの場合には、図７に示すように、上半身の温刺激はレベル２，下半身の温刺激はレベル３，上半身の冷刺激はレベル１，下半身の冷刺激はレベル１とする。
【００５７】
これによれば、女性，冷え症有りといった、体が冷えやすいユーザ特性のユーザへの冷刺激を弱めたり、特に冷えやすい下半身への温刺激を強めたりすることが可能になる。よって、就寝開始時についての温刺激であったり、起床時についての温冷刺激であったりを、ユーザごとに適切な温度刺激とすることが可能になる。なお、ここでは、ユーザ特性が複数種類である場合の例を示したが、例えば、ユーザ特性が性別のみといったように、ユーザ特性の種類が１種類である構成としてもよい。また、部位別に冷刺激を変更できる構成とした場合には、女性，冷え症有りといった、体が冷えやすいユーザ特性に応じて、下半身の冷刺激を上半身の冷刺激よりも弱めるパターンに変更する構成としてもよい。
【００５８】
また、調整部３０６は、設定取得部３００で取得する温度刺激の強度の設定に沿った強度で、温度刺激を行わせればよい。例えば、温度刺激の強度の設定が「強」であった場合には、上半身及び下半身の温刺激と冷刺激とを上述のレベル３の温度で行わせればよい。なお、温度刺激の強度の設定が部位別であったり、温刺激と冷刺激とで別々に行われていたりする場合には、これらの設定に沿って、温度刺激を行わせればよい。例えば、調整部３０６は、設定取得部３００で温度刺激の強度の設定を取得する場合、つまり、ユーザが温度刺激の強度の設定を行った場合には、前述のユーザ特性に応じた温度刺激に優先して、温度刺激の強度の設定に沿った温度刺激を行わせる構成とすればよい。これによれば、ユーザが行う温度刺激の強度の設定に沿って温度刺激を行うことが可能になる。よって、ユーザの好みに応じた温度刺激を行うことが可能になる。
【００５９】
他にも、調整部３０６は、温度取得部３０５で取得するユーザの部位別の温度の測定結果に応じて、ユーザの部位別に行わせる温度刺激の温度のパターンを切り替える。例えば、以下のような構成とすればよい。まず、シートＥＣＵ３０の不揮発性メモリには、ユーザの部位別の温度刺激の温度と、この温度刺激によって目標とするユーザの部位別の目標温度との対応関係を予め記憶しておく。調整部３０６は、ユーザ特性に応じて、若しくは温度刺激の強度の設定に沿って行わせた部位別の温度刺激の温度をもとに、この対応関係を参照し、部位別の目標温度を特定する。そして、特定した部位別の目標温度と、温度取得部３０５で取得するユーザの部位別の温度の測定結果とを比較し、乖離が所定値以上の場合には、その乖離を埋める分だけ部位別の温度刺激の強度を補正する。ここで言うところの所定値とは、任意に設定可能な値であって、例えば１℃とすればよい。
【００６０】
ここで、一例を挙げて説明する。ここでは、上半身の温刺激，下半身の温刺激，上半身の冷刺激，下半身の冷刺激のいずれもレベル２としていたものとする。ここで、上半身の温刺激及び冷刺激についての上半身の温度の乖離が所定値未満である一方、下半身の温刺激及び冷刺激についての下半身の温度の乖離が所定値以上である場合、上半身の温刺激及び冷刺激はレベル２を維持する一方、下半身の温刺激及び冷刺激はレベル３に切り替えればよい。
【００６１】
以上の構成によれば、ユーザの部位別での温度刺激に対して、部位ごとに温度刺激による温度変化の生じにくさがある場合であっても、部位ごとに温度刺激によって目標とする温度に近づけることが可能になる。例えば、ユーザの上半身の着衣が下半身の着衣に比べて厚着であって、温度刺激によって下半身の温度変化が生じにくい場合であっても、下半身への温度刺激の温度だけを高く変更することで、上半身だけでなく下半身の温度も目標とする温度に近づけることが可能になる。
【００６２】
＜シートＥＣＵ３０での温調関連処理＞
続いて、図８のフローチャートを用いて、シートＥＣＵ３０での温度刺激の調整に関連する処理（以下、温調関連処理）の流れの一例について説明を行う。図６のフローチャートは、シートにユーザが着座した場合に開始する構成とすればよい。シートにユーザが着座したことは、シートセンサ３３のうちの着座センサの信号からシートＥＣＵ３０が判断する構成とすればよい。なお、ここでは、通信モジュール３５と通信接続された携帯端末２で温度刺激装置に関連する設定が行われる場合を例に挙げて説明を行う。
【００６３】
まず、ステップＳ１では、設定取得部３００が、通信モジュール３５と通信接続された携帯端末２から、通信モジュール３５を介して、温度刺激装置に関連する設定を取得する。ステップＳ２では、設定取得部３００で取得する希望就寝開始時刻の設定から就寝開始時刻特定部３０２で特定した就寝開始時刻の、設定取得部３００で取得する温度刺激の開始タイミングの設定に沿った設定時間前に達した場合（Ｓ２でＹＥＳ）には、ステップＳ３に移る。一方、就寝開始時刻の設定時間前に達していない場合（Ｓ２でＮＯ）には、Ｓ２の処理を繰り返す。ステップＳ３では、調整部３０６が、温度刺激として、シートヒータ３２にユーザを温める温刺激を、設定取得部３００で取得する継続時間に沿った時間行わせる。
【００６４】
ステップＳ４では、設定取得部３００で取得する希望起床時刻の設定から起床時刻特定部３０３で特定した起床時刻の、設定取得部３００で取得する温度刺激の開始タイミングの設定に沿った設定時間前に達した場合（Ｓ４でＹＥＳ）には、ステップＳ５に移る。一方、起床時刻の設定時間前に達していない場合（Ｓ４でＮＯ）には、Ｓ４の処理を繰り返す。ステップＳ５では、調整部３０６が、温度刺激として、ユーザを温める温刺激とユーザを冷やす冷刺激とを交互に繰り返す温冷刺激を、設定取得部３００で取得する継続時間に沿った時間行わせる。
【００６５】
ステップＳ６では、温調関連処理の終了タイミングであった場合（Ｓ６でＹＥＳ）には、温調関連処理を終了する。一方、温調関連処理の終了タイミングでなかった場合（Ｓ６でＮＯ）には、Ｓ１に戻って処理を繰り返す。温調関連処理の終了タイミングとしては、シートＥＣＵ３０の電源ＯＦＦ，ユーザのシートからの離席等が挙げられる。シートからユーザが離席したことは、シートセンサ３３のうちの着座センサの信号からシートＥＣＵ３０が判断する構成とすればよい。
【００６６】
なお、図８では、シートＥＣＵ３０が、携帯端末２で受け付けた温度刺激装置に関連する設定を、携帯端末２から取得する構成を示したが、必ずしもこれに限らない。シートＥＣＵ３０は、シートＨＭＩ３４の操作入力部で受け付けた温度刺激装置に関連する設定を、シートＨＭＩ３４から取得する構成としてもよい。
【００６７】
＜実施形態１のまとめ＞
実施形態１の構成によれば、ユーザの起床時刻の前からユーザに温冷刺激を行うのに加え、就寝開始時刻の前からユーザに温刺激を行う。よって、ユーザの就寝開始時刻の前からユーザに温刺激を行うことで深い睡眠状態に入り易くするとともに、ユーザの起床時刻の前からユーザに温冷刺激を行うことで起床時刻までに浅い睡眠状態とすることが可能になる。従って、脳が十分な休息を取った上で浅い睡眠状態で起床時刻に起床することが可能になるので、ユーザをより快適に目覚めさせることが可能になる。
【００６８】
（実施形態２）
実施形態１では、温度刺激装置に関連する設定を、携帯端末２とシートＨＭＩ３４とのいずれからも取得可能な構成を示したが、必ずしもこれに限らない。例えば、携帯端末２とシートＨＭＩ３４とのいずれかのみから取得可能な構成としてもよい。なお、温度刺激装置に関連する設定を、携帯端末２とシートＨＭＩ３４とのうちの携帯端末２からのみ取得可能な構成とする場合には、シートごとにシートＨＭＩ３４を設けずに済むという利点がある。
【００６９】
（実施形態３）
実施形態１では、ユーザ特性に応じて、ユーザの部位別に行わせる温度刺激の温度のパターンを切り替える構成を示したが、必ずしもこれに限らない。例えば、この切り替えを行わない構成としてもよい。この場合、シートＥＣＵ３０が特性特定部３０４を備えない構成としてもよい。
【００７０】
（実施形態４）
実施形態１では、ユーザの部位別の温度の測定結果に応じて、ユーザの部位別に行わせる温度刺激の温度のパターンを切り替える構成を示したが、必ずしもこれに限らない。例えば、この切り替えを行わない構成としてもよい。この場合、シートＥＣＵ３０が温度取得部３０５を備えない構成としてもよい。
【００７１】
（実施形態５）
実施形態１では、設定取得部３００で取得する温度刺激の強度の設定に沿った強度で、温度刺激を行わせる構成を示したが、必ずしもこれに限らない。例えば、温度刺激の強度が固定であって、ユーザからの設定の変更を受け付けない構成としてもよい。また、シート特性に応じて、ユーザの部位別に行わせる温度刺激の温度のパターンを切り替えるといった、シートＥＣＵ３０での自動での温度刺激の強度の変更を行うが、ユーザからの設定の変更を受け付けない構成としてもよい。
【００７２】
（実施形態６）
実施形態１では、設定取得部３００で取得する温度刺激の開始タイミングの設定に沿った設定時間前から、温度刺激を行わせる構成を示したが、必ずしもこれに限らない。例えば、温度刺激の開始タイミングが固定であって、ユーザからの設定の変更を受け付けない構成としてもよい。
【００７３】
（実施形態７）
実施形態１では、設定取得部３００で取得する継続時間に沿った時間の温度刺激を行わせる構成を示したが、必ずしもこれに限らない。例えば、温度刺激の継続時間が固定であって、ユーザからの設定の変更を受け付けない構成としてもよい。この場合、温刺激の継続時間は、就寝開始時刻まで継続する時間としてもよいし、就寝開始時刻前に終了する時間としてもよい。温冷刺激の継続時間は、起床時刻まで継続する時間としてもよいし、起床時刻前に終了する時間としてもよい。
【００７４】
（実施形態８）
実施形態１では、就寝開始時刻の前からユーザに温刺激を行わせる構成を示したが、必ずしもこれに限らない。例えば、就寝開始時刻の前からのこの温刺激を行わせない構成としてもよい。この場合には、シートＥＣＵ３０が就寝開始時刻特定部３０２を備えない構成としてもよい。このような構成であっても、ユーザの起床時刻の前からユーザに温冷刺激を行うことで起床時刻までに浅い睡眠状態とすることが可能になるので、ユーザをより快適に目覚めさせることが可能になる。
【００７５】
（実施形態９）
実施形態１では、シート空調ユニット３１の個別空調による冷風でユーザの冷刺激を行わせる一方、シートヒータ３２の発熱でユーザの温刺激を行わせる構成を示したが、必ずしもこれに限らない。ユーザに温刺激と冷刺激とを行わせることが可能な構成であれば、他の構成であってもよい。例えば、シート以外に設けられた吹出口から吹き出す空調風を用いる構成としてもよい。他にも、シート空調ユニット３１の個別空調による冷風と温風とを冷刺激と温刺激として用いる構成としてもよい。また、シートに設けられたペルチェ素子の温度変化によって冷刺激と温刺激とを行わせる構成としてもよい。
【００７６】
（実施形態１０）
実施形態１では、ユーザの部位別に温度刺激を独立して制御可能な構成を示したが、必ずしもこれに限らない。例えば、ユーザの部位別に温度刺激を独立して制御可能でない構成としてもよい。この場合であっても、ユーザの全体若しくは一部の部位に対して、温刺激と冷刺激とを行わせることができる構成であればよい。
【００７７】
（実施形態１１）
実施形態１では、シートごとに設けられるシートＥＣＵ３０がシート温度調整装置として機能する構成を示したが、必ずしもこれに限らない。シート温度調整装置として機能するＥＣＵがシート以外に設けられる構成としてもよいし、シート以外に設けられて複数のシートでの温度刺激の調整を行う構成としてもよい。
【００７８】
なお、本開示は、上述した実施形態に限定されるものではなく、請求項に示した範囲で種々の変更が可能であり、異なる実施形態にそれぞれ開示された技術的手段を適宜組み合わせて得られる実施形態についても本開示の技術的範囲に含まれる。また、本開示に記載の制御部及びその手法は、コンピュータプログラムにより具体化された１つ乃至は複数の機能を実行するようにプログラムされたプロセッサを構成する専用コンピュータにより、実現されてもよい。あるいは、本開示に記載の装置及びその手法は、専用ハードウェア論理回路により、実現されてもよい。もしくは、本開示に記載の装置及びその手法は、コンピュータプログラムを実行するプロセッサと１つ以上のハードウェア論理回路との組み合わせにより構成された１つ以上の専用コンピュータにより、実現されてもよい。また、コンピュータプログラムは、コンピュータにより実行されるインストラクションとして、コンピュータ読み取り可能な非遷移有形記録媒体に記憶されていてもよい。
【符号の説明】
【００７９】
１  シート温度調整システム、２  携帯端末、３  シート側ユニット、３０  シートＥＣＵ（シート温度調整装置）、３１  シート空調ユニット（温度刺激装置）、３２  シートヒータ（温度刺激装置）、３３  シートセンサ（温度センサ）、３４  シートＨＭＩ、３５  通信モジュール、３００  設定取得部（携帯情報取得部）、３０１  調整関連特定部、３０２  就寝開始時刻特定部、３０３  起床時刻特定部、３０４  特性特定部、３０５  温度取得部、３０６  調整部
【図１】
2020083200.tif 000003
【図２】
2020083200.tif 000004
【図３】
2020083200.tif 000005
【図４】
2020083200.tif 000006
【図５】
2020083200.tif 000007
【図６】
2020083200.tif 000008
【図７】
2020083200.tif 000009
【図８】
2020083200.tif 000010